(57)【要約】【課題】手乾燥装置の乾燥室への手の挿入角度とノズルから手に付着した水滴を吹き飛ばす高速空気流の向きが異なるため、一部の高速空気流は手の水滴を吹き飛ばすことなく、水受け部に送風されるため、効率的な乾燥ができないという課題があった。【解決手段】手検知部５の手検知センサー７を開口した乾燥室１の挿入口の天面に複数個、横方向に設けることで、横方向の手の挿入角度を検知することになることができるために、制御部６よりルーバー可動手段１１を可動させて、ルーバー１０の角度と、手の挿入角度を自動補正して同じ方向にすることで、全ての高速空気流が手のあたり、手の水滴を吹き飛ばすこと出来るため、効率的な乾燥をすることができる。【選択図】図１
2009089938.tif 000002
【特許請求の範囲】
【請求項１】
外部に向かって開口した挿入口から手を抜き差しできる乾燥室と、前記乾燥室内の底部の水受け部に向けて空気を送出するノズルと前記ノズルから空気を送出するファンモータと前記乾燥室の開口した挿入口から手を抜き差しされたことを検知する手検知センサーを備えた手検知部と前記手検知部からの信号より前記ファンモータを動作させる制御部を備えた手乾燥装置であって、前記手検知部の手検知センサーを開口した挿入口の天面に複数個、横方向に設け、横方向の手の挿入角度を検知することを特徴とする手乾燥装置。
【請求項２】
横方向の手の挿入角度の信号を検知した制御部には記憶装置を備え、空気を送出するルーバーの向きを記憶装置の挿入角度の情報より横方向に自動補正することを特徴とする請求項１に記載の手乾燥装置。
【請求項３】
横方向の手の挿入角度の信号を検知した制御部には記憶装置を備え、手の検知範囲を記憶装置の挿入角度の情報より横方向に自動補正することを特徴とする請求項１または２に記載の手乾燥装置。
【請求項４】
手検知部の手検知センサーは、開口した挿入口の背面に複数個、縦方向に設け、縦方向の手の挿入角度を検知することを特徴とする手乾燥装置。
【請求項５】
縦方向の手の挿入角度の信号を検知した制御部には記憶装置を備え、空気を送出するルーバーの向きを記憶装置の挿入角度の情報より縦方向に自動補正することを特徴とする請求項４に記載の手乾燥装置。
【請求項６】
縦方向の手の挿入角度の信号を検知した制御部には記憶装置を備え、手の検知範囲を記憶装置の挿入角度の情報より縦方向に自動補正することを特徴とする請求項４または５に記載の手乾燥装置。
【請求項７】
手検知部の手検知センサーは、開口した挿入口の天面と背面に複数個、縦横方向に空間として設け、縦横方向の手の挿入角度を検知することを特徴とする手乾燥装置。
【請求項８】
縦横方向に手の挿入角度の信号を検知した制御部には記憶装置を備え、空気を送出するルーバーの向きを記憶装置の挿入角度の情報より縦横方向に空間として自動補正することを特徴とする請求項７に記載の手乾燥装置。
【請求項９】
縦横方向に手の挿入角度の信号を検知した制御部には記憶装置を備え、空気を送出するルーバーの向きを記憶装置の挿入角度の情報より縦横方向に空間として自動補正した結果を表示部に表示することを特徴とする請求項７または８に記載の手乾燥装置。
【請求項１０】
縦横方向に手の挿入角度の信号を検知した制御部には記憶装置を備え、空気を送出するルーバーの向きを記憶装置の挿入角度の情報より縦横方向に空間として表示部に表示した結果を手動補正を可能とし、記憶させられることを特徴とする請求項７〜９のいずれかに記載の手乾燥装置。
【請求項１１】
縦横方向の手の挿入角度の信号を検知した制御部には記憶装置を備え、手の検知範囲を記憶装置の挿入角度の情報より縦横方向に空間として自動補正することを特徴とする請求項７〜１０のいずれかに記載の手乾燥装置。
【請求項１２】
縦横方向に手の挿入角度の信号を検知した制御部には記憶装置を備え、手の検知範囲を記憶装置の挿入角度の情報より縦横方向に空間として自動補正した結果を表示部に表示することを特徴とする請求項７〜１１のいずれかに記載の手乾燥装置。
【請求項１３】
縦横方向に手の挿入角度の信号を検知した制御部には記憶装置を備え、手の検知範囲を記憶装置の挿入角度の情報より縦横方向に空間として表示部に表示した結果を手動補正を可能とし、記憶させられることを特徴とする請求項７〜１２のいずれかに記載の手乾燥装置。
【発明の詳細な説明】
【技術分野】
【０００１】
本発明は、例えば、手を効率的に乾燥させる手乾燥装置に関するものである。
【背景技術】
【０００２】
洗浄後の濡れた手を衛生的に乾燥させる装置として、高速空気流により手に付着した水滴を吹き飛ばして乾燥させる手乾燥装置が知られている（例えば、特許文献１参照）。
【０００３】
この装置は、本体の乾燥室に手を挿入するための開口部が設けられ、乾燥室の壁面に傾けて設けられた赤外線発光素子と赤外線受光素子からなる手検知部が設けられている。
【０００４】
手検知部により、手を検知すると本体に内蔵された送風装置が作動し、吹き出し口から乾燥室へ高速空気流が噴射して、手に付着した水分を吹き飛ばして、手を乾燥させる構成となっていた。
【特許文献１】特開平１１−３１８７６０号公報
【発明の開示】
【発明が解決しようとする課題】
【０００５】
このような従来の手乾燥装置では、乾燥室への手の挿入角度とノズルから手に付着した水滴を吹き飛ばす高速空気流の向きが異なるため、一部の高速空気流は手の水滴を吹き飛ばすことなく、水受け部に送風されるため、効率的な乾燥ができないという課題があった。
【０００６】
本発明は、このような従来の課題を解決するものであり、手検知部のセンサーを開口した挿入口に複数個設けることで、手の挿入角度を検知することができる手乾燥装置を提供することを目的としている。
【０００７】
また、商品の設置場所や使用者の体格のより、手の挿入方向が異なるが、ノズルからの高速空気流の方向を使用者毎の手の挿入方向から判断し、最適な方向への送風ができないという課題がある。
【０００８】
本発明は、このような従来の課題を解決するものであり、手の挿入角度の信号を検知した制御部には記憶装置を備えることで、ノズル内部の空気を送出するルーバーの向きを記憶装置の挿入角度の情報より自動補正することで、手の挿入角度とルーバーの角度を合わせてことができる手乾燥装置を提供することを目的としている。
【０００９】
また、商品の設置場所や使用者の体格のより、手の挿入方向が異なるが、手の検知範囲を使用者毎の手の挿入方向から判断し、最適な検知範囲の変更ができないという課題がある。
【００１０】
本発明は、このような従来の課題を解決するものであり、手の検知範囲を記憶装置の挿入角度の情報より自動補正し、運転後の検知範囲を部分的に拡大させることで、使用感を向上させることができる手乾燥装置を提供することを目的としている。
【課題を解決するための手段】
【００１１】
本発明の手乾燥装置は、上記目標を達成するために、手検知部の手検知センサーを開口した挿入口の天面に複数個、横方向に設けることを特徴とする。
【００１２】
さらに、本発明によれば、手検知部の手検知センサーを開口した挿入口の天面に複数個、横方向に設けることで、横方向の手の挿入角度を検知することになることができる手乾燥装置を提供することを目的としている。
【００１３】
また、他の手段は、横方向にルーバーの向きを変更できるルーバー可動手段を備えることを特徴とする。
【００１４】
さらに、本発明によれば、横方向の手の挿入角度の信号を検知した制御部には記憶装置を備え、ノズル内部の空気を送出するルーバーの向きを記憶装置の挿入角度の情報より横方向に自動補正することで、手の挿入角度とルーバーの角度を合わせることができる手乾燥装置を提供することを目的としている。
【００１５】
また、他の手段は、天面に複数個、横方向に設けたセンサーの検知感度を向上させる制御部を備えることを特徴とする。
【００１６】
さらに、本発明によれば、手の検知範囲を記憶装置の挿入角度の情報より横方向に自動補正することで、運転後の検知範囲を部分的に拡大させて使用感を向上させることができる手乾燥装置を提供することを目的としている。
【００１７】
また、手検知部の手検知センサーを、開口した挿入口の側面に複数個、縦方向に設けることを特徴とする。
【００１８】
さらに、本発明によれば、手検知部の手検知センサーを開口した挿入口の側面に複数個、縦方向に設けることで、縦方向の手の挿入角度を検知することになることができる手乾燥装置を提供することを目的としている。
【００１９】
また、他の手段は、縦方向にルーバーの向きを変更できるルーバー可動手段を備えることを特徴とする。
【００２０】
さらに、本発明によれば、縦方向の手の挿入角度の信号を検知した制御部には記憶装置を備え、空気を送出するルーバーの向きを記憶装置の挿入角度の情報より縦方向に自動補正することで、手の挿入角度とルーバーの角度を合わせることができる手乾燥装置を提供することを目的としている。
【００２１】
また、他の手段は、側面に複数個、縦方向に設けたセンサーの検知感度を向上させる制御部を備えることを特徴とする。
【００２２】
さらに、本発明によれば、手の検知範囲を記憶装置の挿入角度の情報より縦方向に自動補正することで、運転後の検知範囲を部分的に拡大させることで使用感を向上させることができる手乾燥装置を提供することを目的としている。
【００２３】
また、手検知部の手検知センサーを開口した挿入口の天面と側面に複数個、縦横方向に設けることを特徴とする。
【００２４】
さらに、本発明によれば、手検知部の手検知センサーを開口した挿入口の天面と側面に複数個、縦横方向に設けることで、縦横方向の手の挿入角度を検知することになることができる手乾燥装置を提供することを目的としている。
【００２５】
また、他の手段は、縦横方向にルーバーの向きを変更できるルーバー可動手段を備えることを特徴とする。
【００２６】
さらに、本発明によれば、縦横方向の手の挿入角度の信号を検知した制御部には記憶装置を備え、空気を送出するルーバーの向きを記憶装置の挿入角度の情報より縦横方向に空間として自動補正することで、手の挿入角度とルーバーの角度を合わせることができる手乾燥装置を提供することを目的としている。
【００２７】
また、他の手段は、縦横方向の手の挿入角度の信号を検知した制御部は、挿入角度を検知して縦横方向のルーバーの向きを自動補正した結果を表示する表示部を備えることを特徴とする。
【００２８】
さらに、本発明によれば、空気を送出すルーバーの向きを記憶装置の挿入角度の情報より縦横方向に空間として自動補正することで、手の挿入角度とルーバーの角度を合わせた結果を表示部に表示することができる手乾燥装置を提供することを目的としている。
【００２９】
また、他の手段は、縦横方向の手の挿入角度の信号を検知した制御部は、結果を表示部に表示するだけでなく、手動補正手段を備えることを特徴とする。
【００３０】
さらに、本発明によれば、空気を送出するルーバーの向きを記憶装置の挿入角度の情報より縦横方向に空間として表示部に表示した結果について、手動補正を可能とし、記憶させられることができる手乾燥装置を提供することを目的としている。
【００３１】
また、他の手段は、縦横方向に空間としての手の検出範囲を自動補正する制御部を備えることを特徴とする。
【００３２】
さらに、本発明によれば、縦横方向の手の挿入角度の信号を検知した制御部には記憶装置を備えることで、手の検知範囲を記憶装置の挿入角度の情報より縦横方向に空間として自動補正することで、運転後の検知範囲を部分的に拡大させることとなることができる手乾燥装置を提供することを目的としている。
【００３３】
また、他の手段は、縦横方向の手の挿入角度の信号を検知した制御部は、手の検知範囲を自動補正した結果を表示する表示部を備えることを特徴とする。
【００３４】
さらに、本発明によれば、手の検知範囲を記憶装置の挿入角度の情報より縦横方向に空間として自動補正することで、運転後の検知範囲を部分的に拡大させた結果を表示部に表示することができる手乾燥装置を提供することを目的としている。
【００３５】
また、他の手段は、縦横方向の手の挿入角度の信号を検知した制御部は、結果を表示するだけでなく、手動補正手段を備えることを特徴とする。
【００３６】
さらに、本発明によれば、手の検知範囲を記憶装置の挿入角度の情報より縦横方向に空間として表示部に表示した結果について、手動補正を可能とし、記憶させられることができる手乾燥装置を提供することを目的としている。
【発明の効果】
【００３７】
本発明によれば、手検知部の手検知センサーを開口した挿入口の天面に複数個、横方向に設けることにより、横方向の手の挿入角度を検知することができるために、効率的に手を乾燥させる横方向の位置を認識することができる手乾燥装置を提供できる。
【００３８】
また、他の手段は、横方向にルーバーの向きを変更できるルーバー可動手段を備えることにより、横方向のルーバーの向きを制御部が自動補正することで、横方向の手の挿入角度と同じなり、効率的に手を乾燥させることができる手乾燥装置を提供できる。
【００３９】
さらに、他の手段は、天面に複数個、横方向に設けた手検知センサーの検知感度を向上させる制御部を備えることにより、横方向の手の検知範囲を制御部が自動補正し、横方向の手の検知範囲を変更させて、使用感を改善させることができる手乾燥装置を提供できる。
【００４０】
また、手検知部の手検知センサーを、開口した挿入口の側面に複数個、縦方向に設けることにより、縦方向の手の挿入角度を検知することができるために、効率的に手を乾燥させる横方向の位置を認識することができる手乾燥装置を提供できる。
【００４１】
さらに、他の手段は、縦方向にルーバーの向きを変更できるルーバー可動手段を備えることにより、縦方向のルーバーの向きを制御部が自動補正することで、縦方向の手の挿入角度と同じなり、効率的に手を乾燥させることができる手乾燥装置を提供できる。
【００４２】
また、他の手段は、側面に複数個、縦方向に設けた手検知センサーの検知感度を向上させる制御部を備えることにより、縦方向の手の検知範囲を制御部が自動補正し、縦方向の手の検知範囲を変更させて、使用感を改善させることができる手乾燥装置を提供できる。
【００４３】
さらに、手検知部の手検知センサーを開口した挿入口の天面と側面に複数個、縦横方向に設けることにより、縦横方向の手の挿入角度を検知することができるために、効率的に手を乾燥させる縦横方向の位置を空間として認識することができる手乾燥装置を提供できる。
【００４４】
また、他の手段は、縦横方向にルーバーの向きを変更できるルーバー可動手段を備えることにより、縦横方向のルーバーの向きを制御部が自動補正することで、縦横方向の手の挿入角度と同じなり、空間として効率的に手を乾燥させることができる手乾燥装置を提供できる。
【００４５】
さらに、他の手段は、縦横方向の手の挿入角度の信号を検知した制御部は、挿入角度を検知して縦横方向のルーバーの向きを自動補正した結果を表示する表示部を備えることにより、縦横方向のルーバーの向きを自動補正した結果を表示し、初期値と自動補正した結果の差異で効率的に手の乾燥が改善させている結果を表示で確認することができる手乾燥装置を提供できる。
【００４６】
また、他の手段は、縦横方向の手の挿入角度の信号を検知した制御部は、結果を表示部に表示するだけでなく、手動補正手段を備えることにより、縦横方向のルーバーの向きを自動補正した結果を表示し、初期値と自動補正した結果の差異を確認することができ、さらにルーバーの向きを表示で確認しながら手動で変更することが出来るため、更なる使用者の要望にそった改善を図ることができる手乾燥装置を提供できる。
【００４７】
さらに、他の手段は、縦横方向に空間としての手の検出範囲を自動補正する制御部を備えることにより、縦横方向の手の検知範囲を制御部が自動補正することで、空間として手の検知範囲を変更させて使用感を改善させることができる手乾燥装置を提供できる。
【００４８】
また、他の手段は、縦横方向の手の挿入角度の信号を検知した制御部は、手の検知範囲を自動補正した結果を表示する表示部を備えることにより、縦横方向の手の検知範囲を自動補正した結果を表示し、初期値と自動補正した結果の差異で効率的に手の検知範囲が改善させている結果を表示で確認することができる手乾燥装置を提供できる。
【００４９】
さらに、他の手段は、縦横方向の手の挿入角度の信号を検知した制御部は、結果を表示するだけでなく、手動補正手段を備えることにより、縦横方向の手の検知範囲を自動補正した結果を表示し、初期値と自動補正した結果の差異で手の検知範囲が改善させている確認ができ、さらに手の検知範囲を表示を確認しながら変更することが出来るため、更なる使用者の要望にそった改善を図ることができる手乾燥装置を提供できる。
【発明を実施するための最良の形態】
【００５０】
本発明の請求項１記載の発明は、手検知部の手検知センサーを、開口した挿入口の天面に複数個、横方向に設けるものであり、横方向の手の挿入角度を検知することができるという作用を有する。
【００５１】
また、他の手段は、横方向にルーバーの向きを変更できるルーバー可動手段を備えるものであり、横方向の手の挿入角度を検知した結果より、横方向のルーバーの向きを自動補正することができるという作用を有する。
【００５２】
さらに、他の手段は、天面に複数個、横方向に設けたセンサーの検知感度を向上させる制御部を備えるものであり、横方向の手の挿入角度を検知した結果より、横方向の手の検知範囲を自動補正することができるという作用を有する。
【００５３】
また、手検知部の手検知センサーを、開口した挿入口の側面に複数個、縦方向に設けるものであり、縦方向の手の挿入角度を検知することができるという作用を有する。
【００５４】
さらに、他の手段は、縦方向にルーバーの向きを変更できるルーバー可動手段を備えるものであり、縦方向の手の挿入角度を検知した結果より、縦方向のルーバーの向きを自動補正することができるという作用を有する。
【００５５】
また、他の手段は、側面に複数個、縦方向に設けたセンサーの検知感度を向上させる制御部を備えるものであり、縦方向の手の挿入角度を検知した結果より、縦方向の手の検知範囲を自動補正することができるという作用を有する。
【００５６】
さらに、手検知部の手検知センサーを開口した挿入口の天面と側面に複数個、縦横方向に設けるものであり、縦横方向の手の挿入角度を空間として検知することができるという作用を有する。
【００５７】
また、他の手段は、縦横方向にルーバーの向きを変更できるルーバー可動手段を備えるものであり、縦横方向の手の挿入角度を検知した結果より、縦横方向のルーバーの向きを空間として自動補正することができるという作用を有する。
【００５８】
さらに、他の手段は、縦横方向の手の挿入角度の信号を検知した制御部は、挿入角度を検知して縦横方向のルーバーの向きを自動補正した結果を表示する表示部を備えるものであり、縦横方向の手の挿入角度を検知した結果より、縦横方向のルーバーの向きを空間として自動補正した結果を表示することができるという作用を有する。
【００５９】
また、他の手段は、縦横方向の手の挿入角度の信号を検知した制御部は、結果を表示部に表示するだけでなく、手動補正手段を備えるものであり、縦横方向の手の挿入角度を検知した結果より、縦横方向のルーバーの向きを空間として自動補正した結果を表示させてから手動補正を可能とすることができるという作用を有する。
【００６０】
さらに、他の手段は、縦横方向に空間としての手の検出範囲を自動補正する制御部を備えるものであり、縦横方向の手の挿入角度を検知した結果より、縦横方向の手の検知範囲を空間として自動補正することができるという作用を有する。
【００６１】
また、他の手段は、縦横方向の手の挿入角度の信号を検知した制御部は、手の検知範囲を自動補正した結果を表示する表示部を備えるものであり、縦横方向の手の挿入角度を検知した結果より、縦横方向の手の検知範囲を空間として自動補正した結果を表示することができるという作用を有する。
【００６２】
さらに、他の手段は、縦横方向の手の挿入角度の信号を検知した制御部は、結果を表示するだけでなく、手動補正手段を備えるものであり、縦横方向の手の挿入角度を検知した結果より、縦横方向の手の検知範囲を空間として自動補正した結果を表示させてから手動補正を可能とすることができるという作用を有する。
【００６３】
以下、本発明の実施の形態について図面を参照しながら説明する。
【００６４】
（実施の形態１）
図１は、本発明の実施の形態１における手乾燥装置の側断面図を示す。図２は、同手乾燥装置の正面斜視図を示す。図３は、同手乾燥装置の運転に関するブロック構成図を示す。  図１に示すように、外部に向かって開口した挿入口から手を抜き差しできる乾燥室１と、前記乾燥室１内の底部の水受け部２と、前記水受け部２に向けて空気を送出するノズル３と、前記ノズル３から空気を送出するファンモータ４と、前記乾燥室１の開口した挿入口から手を抜き差しされたことを検知する手検知部５と、前記手検知部５からの信号より前記ファンモータ４を動作させる制御部６と、前記手検知部５に複数個、横方向に設けられたセンサー７と、手乾燥装置の本体８と、横方向の手の挿入角度の信号を検知した前記制御部６に搭載された記憶装置９と、前記ノズル３からの空気の方向を変更できる横方向のルーバー１０と、横方向の前記ルーバー１０は、前記記憶装置９の情報により可動するルーバー可動手段１１を備えた構成である。
【００６５】
また、図２に示すように、前記手検知部５は、前記乾燥室１の開口した挿入口の天面に複数個、横方向に手検知センサー７を設けている。
【００６６】
さらに、天面とは、前記ノズル３の周辺で、前記乾燥室１の天井面であり、下方に向けて手検知センサー７が配置されている。
【００６７】
また、手検知センサー７の一例として、赤外線受発光素子や側距センサーなどを用いて、前記乾燥室１内の手の抜き差しを検知することができ、制御部６に情報を伝えることができる。
【００６８】
さらに、手検知部５の手検知センサー７からの信号を検知した制御部６は、複数個、横方向に配置されている手検知センサー７の手を検知した範囲と検知しなかった範囲を認識して、手の横方向の挿入角度を認識することができる。例えば、図２で説明すると、手を検知した手検知センサー７を格子状に表現し、交点に手検知センサー７が配置している。
【００６９】
また、横軸をｘ軸、縦軸をｙ軸とし、ｘ軸は、左よりｘ１、ｘ２、ｘ３、ｘ４、ｘ５とし、ｙ軸は、手前より、ｙ１、ｙ２、ｙ３とし、１個の前記センサー７を座標位置で表現し、例えば、ｘ１ｙ１とする。さらに、検知範囲を認識する方法として、検知し手検知センサー７がｘ２ｙ３−ｘ３ｙ３−ｘ３ｙ２−ｘ３ｙ１の４点で囲まれた検知範囲であれば、あらかじめ、検知範囲に対する角度のデータが前記制御部６に登録されてあるため、前記制御部６は、挿入角度を認識することができる。また、前記制御部６に搭載された記憶装置９は、手が挿入を検知された直後から手の挿入を検知しなくなるまでの間、手の横方向の挿入角度を検知しながら、前記記憶装置９に一時的の記憶させて、再度、前記制御部６から各部に自動補正する処理信号を発信する。
【００７０】
さらに、横方向の前記ルーバー１０は、前記ファンモータ４から送出された空気を横方向の角度を変更するものであり、前記ノズル３の手前に配置されている。また、横方向の前記ルーバー１０は、中心で分割された２つの構造で構成されたものであり、２個の前記ルーバー１０は、横方向に同一角度にできるだけでなく、左右別角度に変更することができ、前記制御部６により制御が可能である。例えば、左右の手の挿入角度が異なっても最適な角度で前記ルーバー１０を動かすことができる。さらに、前記ルーバー１０の角度を可動させるための前記ルーバー可動手段１１の一例としては、ステッピングモータが用いられ、手検知センサー７が検知した手の挿入角度を認識した前記制御部６は、前記ルーバー可動手段１１へ変更したい角度の情報をつたえることで、前記ルーバー可動手段１１が可動し、前記ルーバー１０の角度を変更し、前記ノズル３への空気の送出角度を変更することができる。
【００７１】
また、手検知部５の手検知センサー７と前記制御部６に搭載された記憶装置９は、手が挿入を検知された直後から手の挿入を検知しなくなるまでの間、手の横方向の挿入角度を検知しながら、記憶装置９に一時的の記憶させて、手検知センサー７の検知した同一方向の検知感度を前記制御部６が、一時的に回路電流を増加させることで、検知範囲を向上させることができる。
【００７２】
さらに、図３に示すように、手乾燥装置の運転に関するブロック構成図で説明すると、一般的な動きとしては、手を検知した前記手検知部５は、検知信号を前記制御部６へ送信し、前記制御部６は、前記手検知部５が手を検知している間、前記ファンモータ４の動作を継続する信号を出し続けることで、手を乾燥させることができる。また、本請求項１については、手検知部５の手検知センサー７の手の検知範囲から挿入角度を認識する処理３１が実施されることになる。
【００７３】
さらに、本請求項２については、手の検知範囲から挿入角度を随時最新情報を入手しながら前記記憶装置９が記憶し、ルーバー可動手段１１に最新情報をリアルタイムで前記手検知部５が手を検知している間、ルーバー可動手段１１に角度信号を送り続ける処理３２が実施されて、横方向の前記ルーバー１０が可動することになる。
【００７４】
また、本請求項３については、手の検知範囲から挿入角度を随時最新情報を入手しながら前記記憶装置９が記憶し、手検知センサー７の検知した同一方向の検知感度を前記制御部６が、一時的に回路電流を増加させる処理３３が実施されることになる。
【００７５】
上記構成において、手検知部５の手検知センサー７より、手の検知の有無だけでなく、手の検知範囲から挿入角度を認識することができる。また、手の検知範囲から挿入角度を随時最新情報を入手することで、前記手検知部５が手を検知している間、前記ルーバー可動手段１１に角度信号を送り続けることで、横方向の前記ルーバー１０が可動し、手の挿入角度と同一方向に向けて空気の送風をすることができる。
【００７６】
さらに、手の検知範囲から挿入角度を随時最新情報を入手することで、手検知部５が手を検知している間、手検知センサー７の検知した横方向の挿入角度と同一角度の検知感度を一時的に向上させることができる。
【００７７】
（実施の形態２）
図４は、本発明の実施の形態２における手乾燥装置の側断面図を示す。図５は、同手乾燥装置の運転に関するブロック構成図を示す。図４に示すように、乾燥室１の開口した挿入口から手を抜き差しされたことを検知する手検知部１２と、前記手検知部１２からの信号より前記ファンモータ４を動作させる制御部６と、前記手検知部１２に複数個、縦方向に設けられたセンサー１３と、手乾燥装置の本体８と、縦方向の手の挿入角度の信号を検知した前記制御部６に搭載された記憶装置９と、ノズル３からの空気の方向を変更できる縦方向のルーバー１４と、縦方向の前記ルーバー１４は、前記記憶装置９の情報により可動するルーバー可動手段１１を備えた構成である。
【００７８】
また、図４に示すように、手検知部１２は、前記乾燥室１の開口した挿入口の側面に複数個、縦方向に手検知センサー１３を設けている。さらに、前記手検知部１２の手検知センサー１３からの信号を検知した前記制御部６は、複数個、縦方向に配置されている手検知センサー１３の手を検知した範囲と検知しなかった範囲を認識して、手の縦方向の挿入角度を認識することができる。例えば、図４で説明すると、手を検知した手検知センサー１３を格子状に表現し、交点に手検知センサー１３が配置している。
【００７９】
また、側断面図からの横軸をｙ軸、縦軸をｚ軸とし、ｙ軸は、左よりｙ１、ｙ２、ｙ３とし、ｚ軸は、上より、ｚ１、ｚ２、ｚ３、ｚ４、ｚ５とし、１個の手検知センサー１３を座標位置で表現し、例えば、ｙ１ｚ１とする。さらに、検知範囲を認識する方法として、検知し手検知センサー１３がｙ１ｚ２−ｙ１ｚ３−ｙ２ｚ３−ｙ３ｚ３の４点で囲まれた検知範囲であれば、あらかじめ、検知範囲に対する角度のデータが前記制御部６に登録されてあるため、前記制御部６は、挿入角度を認識することができる。
【００８０】
また、制御部６に搭載された記憶装置９は、手が挿入を検知された直後から手の挿入を検知しなくなるまでの間、手の縦方向の挿入角度を検知しながら、前記記憶装置９に一時的の記憶させて、再度、前記制御部６から各部に自動補正する処理信号を発信する。
【００８１】
さらに、縦方向の前記ルーバー１４は、前記ファンモータ４か送出された空気の縦方向の角度を変更するものであり、前記ノズル３の手前に配置されている。また、縦方向の前記ルーバー１４は、中心で分割された２つの構造で構成されたものであり、２個の前記ルーバー１４は、縦方向に同一角度にできるだけでなく、左右別角度に変更することができ、前記制御部６により制御が可能である。例えば、左右の手の挿入角度が異なっても最適な角度で前記ルーバー１４を動かすことができる。さらに、前記ルーバー１４の角度を可動させるための前記ルーバー可動手段１１の一例としては、ステッピングモータが用いられ、手検知センサー１３が検知した手の挿入角度を認識した前記制御部６は、前記ルーバー可動手段１１へ変更したい角度の情報をつたえることで、前記ルーバー可動手段１１が可動し、前記ルーバー１４の角度を変更し、前記ノズル３からの空気の送出角度を変更することができる。
【００８２】
また、前記手検知部１２の手検知センサー１３と前記制御部６に搭載された記憶装置９は、手が挿入を検知された直後から手の挿入を検知しなくなるまでの間、手の縦方向の挿入角度を検知しながら、前記記憶装置９に一時的の記憶させて、手検知センサー１３の検知した同一方向の検知感度を前記制御部６が、一時的に回路電流を増加させることで、検知範囲を向上させることができる。
【００８３】
さらに、図５に示すように、手乾燥装置の運転に関するブロック構成図で説明すると、一般的な動きとしては、手を検知した手検知部１２は、検知信号を前記制御部６へ送信し、前記制御部６は、手検知部１２が手を検知している間、前記ファンモータ４を動作を継続する信号を出し続けることで、手を乾燥させることができる。
【００８４】
また、本請求項４については、前記手検知部１２の手検知センサー１３の手の検知範囲から縦方向の手の挿入角度を認識する処理３４が実施されることになる。
【００８５】
さらに、本請求項５については、手の検知範囲から挿入角度を随時最新情報を入手しながら前記記憶装置９が記憶し、前記ルーバー可動手段１１に最新情報をリアルタイムで前記手検知部１２が手を検知している間、前記ルーバー可動手段１１に角度信号を送り続ける処理３５が実施され、縦方向の前記ルーバー１４が可動することになる。
【００８６】
また、本請求項６については、手の検知範囲から挿入角度を随時最新情報を入手しながら前記記憶装置９が記憶し、手検知センサー１３の検知した同一方向の検知感度を前記制御部６が、一時的に回路電流を増加させる処理３６が実施されることになる。
【００８７】
上記構成において、前記手検知部１２の手検知センサー１３より、手の検知の有無だけでなく、手の検知範囲から縦方向の挿入角度を認識することができる。また、手の検知範囲から挿入角度を随時最新情報を入手することで、手検知部１２が手を検知している間、前記ルーバー可動手段１１に角度信号を送り続けることで、縦方向の前記ルーバー１４が可動し、手の挿入角度と同一方向に向けて空気の送風をすることができる。
【００８８】
さらに、手の検知範囲から挿入角度を随時最新情報を入手することで、前記手検知部１２が手を検知している間、手検知センサー１３の検知した縦方向の挿入角度と同一角度の検知感度を一時的に向上させることができる。
【００８９】
（実施の形態３）
図６は、本発明の実施の形態３における手乾燥装置の側断面図を示す。図７は、同手乾燥装置の運転に関するブロック構成図を示す。図６に示すように、前記乾燥室１の開口した挿入口から手を抜き差しされたことを検知する前記手検知部５と前記手検知部１２と、前記手検知部５と前記手検知部１２からの信号より前記ファンモータ４を動作させる制御部６と、前記手検知部５と前記手検知部１２に複数個、縦横方向に設けられた手検知センサー７と手検知センサー１３と、手乾燥装置の本体８と、縦横方向の手の挿入角度の信号を検知した制御部６に搭載された記憶装置９と、前記ノズル３からの空気の方向を変更できる縦横方向の前記ルーバー１０と前記ルーバー１４と、横方向の前記ルーバー１０と縦方向の前記ルーバー１４は、前記記憶装置９の情報により可動するルーバー可動手段１１と、手検知センサー７と手検知記センサー１３によって縦横方向に検知して、横方向の前記ルーバー１０と縦方向の前記ルーバー１４の送風方向と手検知センサー７と手検知センサー１３の検知範囲を自動補正された結果を表示させる表示部１５と、自動補正された結果を記憶装置９に保存させて、運転開始時の風向や検知範囲の初期値を手動で変更できる手動補正手段１６を備えた構成である。
【００９０】
また、図６に示すように、前記手検知部５と前記手検知部１２は、前記乾燥室１の開口した挿入口の天面と側面に複数個、縦横方向に手検知センサー７と手検知センサー１３を設けている。さらに、前記手検知部５と前記手検知部１２の手検知センサー７と手検知センサー１３からの信号を検知した前記制御部６は、複数個、縦横方向に配置されている手検知センサー７と手検知センサー１３の手を検知した範囲と検知しなかった範囲を空間として認識して、手の縦横方向の挿入角度を認識することができる。
【００９１】
例えば、図６で説明すると、手を検知した手検知センサー７と手検知センサー１３を格子状に３次元で表現し、交点に手検知センサー７と手検知センサー１３が配置している。
【００９２】
また、側断面図からの斜軸をｘ軸、横軸をｙ軸、縦軸をｚ軸とし、ｘ軸は、斜め上方から中心にｘ１、ｘ２、ｘ３、ｘ４、ｘ５とし、ｙ軸は、左よりｙ１、ｙ２、ｙ３とし、ｚ軸は、上より、ｚ１、ｚ２、ｚ３、ｚ４、ｚ５とし、２個の手検知センサー７と手検知センサー１３の交点を座標位置で表現し、例えば、ｘ１ｙ１ｚ１とする。さらに、検知範囲を認識する方法として、検知し手検知センサー７と手検知センサー１３がｘ２ｙ１ｚ２−ｘ３ｙ１ｚ２−ｘ２ｙ１ｚ３−ｘ３ｙ１ｚ３−ｘ２ｙ３ｚ３−ｘ３ｙ３ｚ３の６点で囲まれた検知範囲であれば、あらかじめ、検知範囲に対する角度のデータが前記制御部６に登録されてあるため、前記制御部６は、挿入角度を認識することができる。
【００９３】
また、前記制御部６に搭載された記憶装置９は、手が挿入を検知された直後から手の挿入を検知しなくなるまでの間、手の縦横方向の挿入角度を空間として検知しながら、前記記憶装置９に一時的の記憶させて、再度、前記制御部６から各部に自動補正する処理信号を発信する。
【００９４】
さらに、横方向の前記ルーバー１０と縦方向の前記ルーバー１４は、前記ファンモータ４か送出された空気の縦横方向の角度を変更するものであり、前記ノズル３の手前に配置されている。
【００９５】
また、横方向の前記ルーバー１０と縦方向の前記ルーバー１４は、中心で分割された２つの構造で構成されたものであり、２個の前記ルーバー１０と前記ルーバー１４は、縦横方向に立体的に同一角度にできるだけでなく、左右別角度に変更することができ、前記制御部６により制御が可能である。例えば、左右の手の挿入角度が異なっても最適な角度で前記ルーバー１０と前記ルーバー１４を動かすことができる。
【００９６】
さらに、前記ルーバー１０と前記ルーバー１４の角度を可動させるための前記ルーバー可動手段１１の一例としては、ステッピングモータが用いられ、手検知センサー７と手検知センサー１３が検知した手の挿入角度を認識した前記制御部６は、前記ルーバー可動手段１１へ変更したい角度の情報をつたえることで、前記ルーバー可動手段１１が可動し、前記ルーバー１０と前記ルーバー１４の角度を変更し、前記ノズル３からの空気の送出角度を立体的な動きで変更することができる。
【００９７】
また、手検知センサー７と手検知センサー１３と前記制御部６に搭載された記憶装置９は、手が挿入を検知された直後から手の挿入を検知しなくなるまでの間、手の縦横方向の挿入角度を検知しながら、前記記憶装置９に一時的の記憶させて、手検知センサー７と手検知センサー１３の検知した同一方向の検知感度を前記制御部６が、一時的に回路電流を増加させることで、向上させることができる。
【００９８】
さらに、表示部１５の一例として、ＬＥＤや液晶などの表示が確認可能であれば特に規定はしない。また、手動補正手段１６の一例として、スイッチなどの設定変更が可能であれば特に規定はしない。さらに、図７に示すように、手乾燥装置の運転に関するブロック構成図で説明すると、一般的な動きとしては、手を検知した前記手検知部５と前記手検知部１２は、検知信号を前記制御部６へ送信し、前記制御部６は、前記手検知部５と前記手検知部１２が手を検知している間、前記ファンモータ４を動作を継続する信号を出し続けることで、手を乾燥することができる。
【００９９】
また、本請求項７については、前記手検知部５の手検知センサー７と前記手検知部１２の手検知センサー１３の手の検知範囲から縦横方向の手の挿入角度を空間として認識する処理３７が実施されることになる。
【０１００】
さらに、本請求項８については、手の検知範囲から挿入角度を随時最新情報を入手しながら前記記憶装置９が記憶し、前記ルーバー可動手段１１に最新情報をリアルタイムで前記手検知部５と前記手検知部１２が手を検知している間、前記ルーバー可動手段１１に角度信号を送り続ける処理３８が実施され、横方向の前記ルーバー１０と縦方向の前記ルーバー１４が可動することとなる。
【０１０１】
また、本請求項９については、横方向の前記ルーバー１０と縦方向の前記ルーバー１４が可動し、手の挿入角度と同一方向に自動補正された結果を処理３９が実施されることとなる。
【０１０２】
さらに、本請求項１０については、手の挿入角度と同一方向に自動補正された結果を表示部１５に表示させるだけでなく、記憶装置９に保存させて、手動補正手段１６により、処理４０が実施されることになる。
【０１０３】
また、本請求項１１については、手の検知範囲から挿入角度を随時最新情報を入手しながら前記記憶装置９が記憶し、手検知センサー７と手検知センサー１３の検知した同一方向の検知感度を前記制御部６が、一時的に回路電流を増加させる処理４１が実施されることになる。
【０１０４】
さらに、本請求項１２については、手の縦横方向の挿入角度と同一角度の検知範囲を一時的に自動補正され向上した結果を処理３９が実施されることになる。
【０１０５】
また、本請求項１３については、手の縦横方向の挿入角度と同一角度の検知範囲を一時的に自動補正された結果を表示部１５に表示させるだけでなく、記憶装置９に保存させて、手動補正手段１６により、処理４０が実施されることになる。
【０１０６】
上記構成において、前記手検知部５の手検知センサー７と前記手検知部１２の手検知センサー１３より、手の検知の有無だけでなく、手の検知範囲から縦横方向の挿入角度を認識することができる。
【０１０７】
また、手の検知範囲から挿入角度を随時最新情報を入手することで、前記手検知部５と前記手検知部１２が手を検知している間、前記ルーバー可動手段１１に角度信号を送り続けることで、横方向の前記ルーバー１０と縦方向の前記ルーバー１４が可動し、手の挿入角度と同一方向に空間的に自動補正して、空気を送風することができる。
【０１０８】
さらに、手の挿入角度と同一方向に自動補正された結果を表示部１５に表示させることができ、自動補正された結果を表示部１５にて、目視で確認することができるため、使用者の使用状況を確認することができるだけでなく、初期設置時に何回か本体を試運転させて、手検知センサー７と手検知センサー１３の検知状況と送風方向を確認した上で本体８を設置することができる。
【０１０９】
また、前記表示部１５に結果を表示させるだけでなく、記憶装置９に保存させて、手動補正手段１６により挿入角度の初期値を手動で変更できるため、本体８の設置位置の関係上、使用者が常に斜めの角度から挿入しなければならない場合、過去の記憶装置に登録してある送風方向を確認し、初期スタート時の風向の向きを意図的に斜め方向に向けて送風するように、使用者の改善要望に対応することができる。
【０１１０】
さらに、手の検知範囲から挿入角度を随時最新情報を入手しながら、前記記憶装置９が記憶し、手検知センサー７と手検知センサー１３の検知した同一方向の検知感度を前記制御部６が、一時的に回路電流を増加させて、手の縦横方向の挿入角度と同一角度の検知感度を一時的に向上させることができるため、一度運転させた場合、乾燥室１内であれば、検知する範囲が拡大することができる。
【０１１１】
また、使用者の自然と行う動作として運転操作中に少しづつ自分が手乾燥装置を使用する上で楽な姿勢を保つために、一時的に手の検知範囲を越えることがあり、一瞬本体８が停止することになるが、再度、手の検知範囲に入ることで、再起動されてことがあり、検知範囲をＯＮ／ＯＦＦを繰り返し、乾燥効率としては悪くなることがあったが、改善することができる。
【０１１２】
さらに、手の縦横方向の挿入角度と同一角度の検知範囲を一時的に自動補正され向上した結果を表示部１５に表示することができ、自動補正された結果を表示部１５にて、目視で確認することができるため、使用者の使用状況を確認することができるだけでなく、初期設置時に何回か本体を試運転させて、手検知センサー７と手検知センサー１３の検知範囲の状況を確認した上で本体８を設置することができる。
【０１１３】
また、手の縦横方向の挿入角度と同一角度の検知範囲を一時的に自動補正された結果を表示部１５に表示させるだけでなく、記憶装置９に保存させて、手動補正手段１６により、検知範囲の初期値を手動で変更できるため、本体８の設置位置の関係上、使用者が常に斜めの角度から挿入しなければならない場合、過去の記憶装置に登録してある手の検知範囲を確認し、初期スタート時の手の検知範囲を意図的に斜め方向に向けて検知しやすくすることで、使用者の改善要望に対応することができる。
【産業上の利用可能性】
【０１１４】
本発明の手乾燥装置は、レストランやホテルなどの洗面所やトイレに設置され、また病院や手術室や調理場においても適用できる。
【図面の簡単な説明】
【０１１５】
【図１】本発明の実施の形態１の手乾燥装置を示す側断面図
【図２】同手乾燥装置の正面斜視図
【図３】同手乾燥装置の運転に関するブロック構成図
【図４】本発明の実施の形態２の手乾燥装置を示す側断面図
【図５】同手乾燥装置の運転に関するブロック構成図
【図６】本発明の実施の形態３の手乾燥装置を示す側断面図
【図７】同手乾燥装置の運転に関するブロック構成図
【符号の説明】
【０１１６】
１    乾燥室
２    水受け部
３    ノズル
４    ファンモータ
５    手検知部
６    制御部
７    手検知センサー
８    本体
９    記憶装置
１０  ルーバー
１１  ルーバー可動手段
１２  手検知部
１３  手検知センサー
１４  ルーバー
１５  表示部
１６  手動補正手段
【図１】
2009089938.tif 000003
【図２】
2009089938.tif 000004
【図３】
2009089938.tif 000005
【図４】
2009089938.tif 000006
【図５】
2009089938.tif 000007
【図６】
2009089938.tif 000008
【図７】
2009089938.tif 000009